【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
実質的に光学的透過性のある保護具複合材において、前記複合材は、  
第１の厚さを有する正面層であって、前記正面層は、少なくとも部分的に透明および半透明なガラス材料の少なくとも１つを含む、正面層と、
第２の厚さを有する運動層であって、前記運動層は、前記第１の層に貼付するために適切に形成された少なくとも部分的に透明および半透明な高分子材料の少なくとも１つを含む、運動層と、
エラストマー材料の接合層であって、前記エラストマー材料は、前記第１の層と前記第２の層との間に少なくとも部分的に配置される、接合層と、から成り、
前記第１の厚さに対する前記第２の厚さの比率は、少なくとも単一である、
ことを特徴とする保護具複合材。
【請求項２】
前記正面層の厚さに対する前記運動層の厚さの前記比率は、約１．６２５であることを特徴とする請求項１記載の保護具複合材。
【請求項３】
前記正面層は、前記正面層の表面に衝突する発射体を実質的に鈍化させること、前記正面層の表面に衝突する発射体の同軸部分を少なくとも部分的に取り除くこと、前記正面層の表面に衝突する発射体の同軸部分における構造的完全性を少なくとも部分的に低下させること、および、前記正面層の表面に衝突する発射体の形状を少なくとも部分的に変形させること、の少なくとも１つを適切に形成することを特徴とする請求項１記載の保護具複合材。
【請求項４】
前記運動層は、前記運動層に少なくとも部分的に貫通する発射体の運動エネルギーを少なくとも部分的に減少させるために適切に形成されていることを特徴とする請求項１記載の保護具複合材。
【請求項５】
前記正面層、前記接合層、および前記運動層の屈折率は、予め定める温度範囲に対して実質的に同値であることを特徴とする請求項１記載の保護具複合材。
【請求項６】
前記正面層は、非結晶ガラス材料および結晶ガラス材料の少なくとも１つから構成されていることを特徴とする請求項１記載の保護具複合材。
【請求項７】
少なくとも部分的に光学的透過性のある障壁の背後の目的体を発射体の損害から保護する方法において、前記方法は、
第１の厚さを有する正面層を提供する段階であって、前記正面層は、少なくとも部分的に透明および半透明なガラス材料の少なくとも１つを含む、段階と、
第２の厚さを有する運動層の提供する段階であって、前記運動層は、前記第１の層に貼付するために適切に形成された少なくとも部分的に透明および半透明な高分子材料の少なくとも１つを含む、段階と、
エラストマー材料の層を提供する段階であって、前記エラストマー材料の層は、前記第１の層と前記第２の層との間に少なくとも部分的に配置される、段階と、から成り、
前記第１の厚さに対する前記第２の厚さの比率は、少なくとも単一である、
ことを特徴とする方法。
【請求項８】
前記正面層の厚さに対する前記運動層の厚さの前記比率は、約１．６２５であることを特徴とする請求項７記載の方法。
【請求項９】
実質的に光学的透過性のある保護具複合材において、前記複合材は、
第１の厚さを有する正面層であって、前記正面層は、少なくとも部分的に透明および半透明なガラス材料の少なくとも１つを含む、正面層と、
第２の厚さを有する運動層であって、前記運動層は、前記第１の層に貼付するために適切に形成された少なくとも部分的に透明および半透明な高分子材料の少なくとも１つを含む、運動層と、
少なくとも１つの高分子材料を含むエラストマー層であって、前記エラストマー層は、前記第１の層と前記第２の層との間に配置される、エラストマー層と、から成り、
前記第１の厚さに対する前記第２の厚さの比率は、少なくとも単一である、
ことを特徴とする保護具複合材。
【手続補正２】
【補正対象書類名】明細書
【補正対象項目名】０００５
【補正方法】変更
【補正の内容】
【０００５】
複合材に使用される様々な層は、それらの異なる弾丸抵抗特性および機能のために選択される。例えば、ガラス層は硬いため容易に弾丸を砕き、また高い耐摩耗性を示すが、ガラス層は、また、脆く、それが砕けて貫通する脅威は全てのガラス層に対して誘起し、さらに弾丸の破片を生成する。弾丸の破片は、車両内部の表面上に多数の突起物を生成するおそれがある。生成された弾片（あるいは破片）は、最初の進入物より実際は危険かもしれない。複合サンドイッチの一部として使用されるプラスチック材の層は、透明な防護複合材に柔軟性を導入する手段を提供する。複合材へ１枚またはそれ以上のプラスチック層を追加することによって、透明な防護具の破壊モードが変更し、したがって、それは破砕よりむしろより延びた状態で終わる。アクリル、ポリウレタンおよびポリカーボネートをベースとする材料は、透明な防護具の複合材を生成する際に有用性を有すると示されたプラスチック材である。
【手続補正３】
【補正対象書類名】明細書
【補正対象項目名】００１４
【補正方法】変更
【補正の内容】
【００１４】
図１に代表的に示される典型的な実施例に従って、本発明は改善された光学的透過性のある保護具を提供する。光学的透過性のある保護具は、第１の層１１０（つまり、「正面層」は入来する弾丸に最初に接触する表面である）、第２の層１００（つまり、弾丸のエネルギーを消耗するための「運動層」）、および、それらの間に少なくとも部分的に配置された任意的なエラストマー層（つまり、運動層１００の配置に関して正面層１１０を動けなくするために適切に形成された「接合（ボンディング）層」）を具備する。接合層は、高い伸び特性を有する材料、または、運動層１００および正面層１１０と関連する、温度係数の違いによる伸張差を緩和することができる他の適切な材料からなる。接合層が与えられた温度範囲に亘って適切な伸び特性を具備していない場合、第１と第２層が伸縮する場合、接合層は破損するかもしれない。
【手続補正４】
【補正対象書類名】明細書
【補正対象項目名】００２３
【補正方法】変更
【補正の内容】
【００２３】
別の典型的な実施例に従って、一般に図２に示されているように、例えば、挿嵌された運動層２００，２２０，２４０は、ウレタン２１０，２３０の比較的薄い層が任意に挟み込まれた１／４インチのポリカーボネートからなる。もちろん、重要な利点は光学的透過性のある保護具に由来するのであるが、比較的薄く堅牢な面の層２５０と結合した様々な他の厚さ寸法を有する高分子およびエラストマー層から実質的に構成される。層の寸法は、およそ±５０％まで変更でき、従来の技術に対して著しい特性向上を提供することができる。加えて、正面と運動層の厚み寸法の比は１：２と重要であり、代替でき、結合してまたは連続して使用され、従来の技術に対して実質的な利益を達成する。異なる厚さ比は、特別の脅威または使用環境に対して独自に適合した、異なる保護具特性を生成することがさらに認識されるであろう。
【手続補正５】
【補正対象書類名】明細書
【補正対象項目名】００２５
【補正方法】変更
【補正の内容】
【００２５】
別の典型的な実施例に従って、例えば、図４に一般に示されるように、第１の層４１０は実質的に連接されている。正面層４１０は、複数のタイル要素４２０で連接され、運動層４００を覆っている。タイル要素４２０は、異なる形状を含み、例えば、個別のタイル（一般に図４に示されるもの）、球形、多面体、シリンダ、および／または、通常の固体を含む。大理石（例えば、球形）は、効率的なタイル要素材料（１０−１２ｌｂｓ／ｆｔ２の範囲で計算される正味面密度）として実証されるが、しかしながら、板ガラス（１／４インチから１／２インチの厚さ）のモザイクも、１４ｌｂｓ／ｆｔ２の範囲の密度でそれ自身極めて効率的であることを実証する。様々なタイル４２０は、任意の適切な高分子マトリクスと共に結合されてもよいが、しかしながら、いくつかの応用では、重要な考察として、光学的透過性のあるタイル要素４２０の屈折率を高分子マトリクスの屈折率と適合させることを含み、それにより、光学的歪みを除去し、さもなければ減少させることができる。
【手続補正６】
【補正対象書類名】明細書
【補正対象項目名】００２９
【補正方法】変更
【補正の内容】
【００２９】
別の典型的な実施例に従って、例えば、図６に一般に示されるように、正面は、ガラス材料６１０，６３０，６４０の１を越える層からなっていてもよく、運動層６００を覆っている。積層する正面層６３０は、連接された層６１０，６２０のタイル要素間における隙間の領域に汚れ、および／または、他の物質が留まるのを妨げるかそうでなければ妨害するために実質的に接触していればよい。タイル要素は、異なる形状を含み、例えば、個別のタイル（一般に図４に示されるもの）、球形、多面体、シリンダ、および／または、通常の固体を含む。図６に示された代表的な実施例では、ガラス正面６１０，６２０の連接されたタイル要素間の境界端部は、実質的にオーバラップするように適切に形成される。このような構成は、光学的な透明性が最大限にされ、特にタイル要素間（上に積層した層および下に積層した層と同様に）の屈折率がよく一致する特殊の応用における特定の利用に適するかもしれない。